(57)【特許請求の範囲】
【請求項１】
登録ユーザ間のコミュニケーションを支援するサーバ装置を含む通信システムであって、
前記サーバ装置は、
前記登録ユーザにより使用される端末装置が送信した投稿情報と属性情報とを含む情報を取得する情報取得部と、
前記情報取得部により複数の登録ユーザから取得された複数の投稿情報の中から、前記複数の登録ユーザのうち一部の登録ユーザに共通する情報に関連付けられる特定のテーマに対応する投稿情報を、属性情報に基づき抽出する投稿情報抽出部と、
前記投稿情報抽出部により抽出された投稿情報を前記端末装置に送信するサーバ通信処理部と、
を備え、
前記端末装置は、
画像を表示する表示部と、
前記登録ユーザが操作する対象の一または複数のオブジェクトが配置された第１画像を前記表示部に表示させる表示制御部であって、
前記一または複数のオブジェクトの何れかが操作された場合に、投稿情報とオブジェクトとが属性情報によって対応付けられた情報を参照し、前記操作されたオブジェクトに対応付けられた属性情報と同じ属性情報が対応付けられた投稿情報を前記サーバ装置から取得し、前記サーバ装置から取得した投稿情報の閲覧が可能になる第２画像を前記表示部に表示させ、或いは、
前記一または複数のオブジェクトの何れかが操作された場合に、投稿情報の入力を受け付けるための第３画像を前記表示部に表示させる表示制御部と、
前記登録ユーザが前記第３画像に対して投稿する投稿情報を受け付けて、自端末装置の登録ユーザの投稿情報と前記操作されたオブジェクトとを対応付ける属性情報を生成する情報受付部と、
前記情報受付部により受け付けられた前記投稿情報と前記属性情報とを含む送信情報を前記サーバ装置宛に送信する端末通信処理部と、
を備える、
通信システム。
【請求項２】
前記情報取得部は、
前記端末装置が送信した送信情報に含まれる前記投稿情報と、前記投稿情報に対応する属性情報とを関連付けて記憶部に格納し、
前記投稿情報抽出部は、
前記テーマに対応する投稿情報を、前記投稿情報に対応する属性情報に基づいて抽出する、
請求項１記載の通信システム。
【請求項３】
前記情報受付部は、
さらに、前記登録ユーザが指定する抽出条件を受け付けて、
前記サーバ装置と前記端末装置の少なくとも一方は、
前記端末装置が受け付けた抽出条件に従って、前記テーマに対応する投稿情報の中から一部または全部を抽出する範囲抽出部
を備える請求項１記載の通信システム。
【請求項４】
前記端末通信処理部は、
前記受け付けた投稿情報と、前記抽出条件とを、前記サーバ装置宛に送信し、
前記サーバ装置の前記範囲抽出部は、
前記端末装置が送信した抽出条件に従って、前記テーマに対応する投稿情報の中から一部または全部を抽出する、
請求項３記載の通信システム。
【請求項５】
前記サーバ装置と前記端末装置の何れか一方は、
前記登録ユーザが操作する対象の一または複数のオブジェクトが配置された第１画像を生成する画像生成部であって、
前記一または複数のオブジェクトの何れかが操作された場合に、投稿情報とオブジェクトとが属性情報によって対応付けられた情報を参照し、前記操作されたオブジェクトに対応付けられた属性情報と同じ属性情報が対応付けられた投稿情報を前記サーバ装置から取得し、前記サーバ装置から取得した投稿情報の閲覧が可能になる第２画像を生成し、或いは、
前記一または複数のオブジェクトの何れかが操作された場合に、投稿情報の入力を受け付けるための第３画像を生成する画像生成部
を備える請求項１から請求項４の何れか１項記載の通信システム。
【請求項６】
前記画像生成部は、
前記テーマに対応する投稿情報であって、前記登録ユーザである自身の投稿情報と他の登録ユーザの投稿情報とを比較容易に表示する第４画像を生成する
請求項５記載の通信システム。
【請求項７】
前記情報受付部は、
過去に経験した出来事と将来起こり得る出来事の何れかの出来事に関する情報を受け付けて、前記受け付けた情報に基づいて前記投稿情報を生成する、
請求項１から請求項６の何れか１項記載の通信システム。
【請求項８】
前記情報受付部は、
前記自端末装置の登録ユーザの投稿情報を、前記自端末装置の登録ユーザの行動を検出した結果に基づいて生成する、
請求項１から請求項７の何れか１項記載の通信システム。
【請求項９】
前記サーバ装置と前記端末装置の何れか一方は、
前記範囲抽出部と、
前記登録ユーザが操作する対象の一または複数のオブジェクトが配置された第１画像を生成する画像生成部であって、
前記一または複数のオブジェクトの何れかが操作された場合に、投稿情報とオブジェクトとが属性情報によって対応付けられた情報を参照し、前記操作されたオブジェクトに対応付けられた属性情報と同じ属性情報が対応付けられた投稿情報を前記サーバ装置から取得し、前記サーバ装置から取得した投稿情報の閲覧が可能になる第２画像を生成し、或いは、
前記一または複数のオブジェクトの何れかが操作された場合に、投稿情報の入力を受け付けるための第３画像を生成する画像生成部と、を組にして備える
請求項３または請求項４記載の通信システム。
【請求項１０】
登録ユーザ間のコミュニケーションを支援するサーバ装置であって、
登録ユーザにより使用される端末装置が送信した情報を取得する情報取得部と、
前記情報取得部により複数の登録ユーザから取得された複数の情報の中から、前記複数の登録ユーザのうち一部の登録ユーザに共通する情報に関連付けられる特定のテーマに対応する投稿情報を、前記取得した情報に含まれる属性情報に基づき抽出する投稿情報抽出部と、
前記情報を取得したことに応じて、前記投稿情報抽出部により抽出された投稿情報を前記端末装置に送信するサーバ通信処理部と、
を備え、
サーバ通信処理部は、
投稿情報と属性情報とが対応付けられた情報を参照し、前記登録ユーザが操作する対象の一または複数のオブジェクトが配置された第１画像において、
前記一または複数のオブジェクトの何れかが操作された場合に、投稿情報とオブジェクトとが属性情報によって対応付けられた情報を参照し、前記操作されたオブジェクトに対応付けられた属性情報と同じ属性情報が対応付けられた投稿情報を前記サーバ装置から取得し、前記サーバ装置から取得した投稿情報の閲覧が可能になる第２画像を、前記端末装置の表示部に表示させるための情報を、前記投稿情報として前記端末装置に送信し、或いは、
前記一または複数のオブジェクトの何れかが操作された場合に、投稿情報の入力を受け付けるための第３画像を、前記端末装置の表示部に表示させるための情報を、前記投稿情報として前記端末装置に送信し、
前記端末装置から受信した情報に含まれる投稿情報と、前記操作されたオブジェクトと前記受信した投稿情報とを対応付ける属性情報とを対応付けて記憶部に登録する
サーバ装置。
【請求項１１】
登録ユーザ間のコミュニケーションを支援するサーバ装置を含む通信システムの通信制
御方法であって、
前記サーバ装置は、
前記登録ユーザにより使用される端末装置が送信した投稿情報と属性情報とを取得し、
複数の登録ユーザから取得した複数の投稿情報の中から、前記複数の登録ユーザのうち一部の登録ユーザに共通する情報に関連付けられる特定のテーマに対応する投稿情報を属性情報に基づき抽出し、
前記端末装置は、
前記登録ユーザが操作する対象の一または複数のオブジェクトが配置された第１画像を前記表示部に表示させる表示制御部であって、
前記一または複数のオブジェクトの何れかが操作された場合に、投稿情報とオブジェクトとが属性情報によって対応付けられた情報を参照し、前記操作されたオブジェクトに対応付けられた属性情報と同じ属性情報が対応付けられた投稿情報を前記サーバ装置から取得し、前記サーバ装置から取得した投稿情報の閲覧が可能になる第２画像を、前記表示部に表示し、或いは、
前記一または複数のオブジェクトの何れかが操作された場合に、投稿情報の入力を受け付けるための第３画像を、前記表示部に表示し、
前記登録ユーザが前記第３画像に対して投稿する投稿情報を受け付けて、自端末装置の登録ユーザの投稿情報と前記操作されたオブジェクトとを対応付ける属性情報を生成し、
前記受け付けられた前記投稿情報と前記属性情報とを含む送信情報を前記サーバ装置宛に送信する
通信制御方法。
【請求項１２】
登録ユーザ間のコミュニケーションを支援するサーバ装置のコンピュータに、
登録ユーザにより使用される端末装置が送信した情報を取得する処理と、
複数の登録ユーザから取得された複数の情報の中から、前記複数の登録ユーザのうち一部の登録ユーザに共通する情報に関連付けられる特定のテーマに対応する投稿情報を属性情報に基づき抽出する処理と、
前記登録ユーザが操作する対象の一または複数のオブジェクトが配置された第１画像において、前記一または複数のオブジェクトの何れかが操作された場合に、前記操作されたオブジェクトに対応付けられた属性情報と同じ属性情報が対応付けられた投稿情報を前記サーバ装置から取得し、前記サーバ装置から取得した投稿情報の閲覧が可能になる第２画像を、或いは、前記一または複数のオブジェクトの何れかが操作された場合に、投稿情報の入力を受け付けるための第３画像を、前記表示部に表示させるための前記抽出された投稿情報を前記端末装置に送信する処理と、
前記端末装置から受信した投稿情報と、前記操作されたオブジェクトと前記受信した投稿情報とを対応付ける属性情報とを記憶部に登録する処理と
を実行させるためのプログラム。
【請求項１３】
登録ユーザ間のコミュニケーションを支援するサーバ装置と通信する端末装置に、
前記複数の登録ユーザの中の一部の登録ユーザに共通する情報に関連付けられる特定のテーマに対応付けられたオブジェクトであって、第１画像に配置されたオブジェクトを指定する操作と、自端末装置の登録ユーザが投稿する投稿情報とを受け付けて、自端末装置の登録ユーザの投稿情報と前記指定されたオブジェクトとを対応付ける属性情報を生成して、前記属性情報に対応付けられた投稿情報であって前記特定のテーマにおける投稿情報の閲覧の要求をサーバ装置に送信する処理と、
前記送信した属性情報と同じ属性情報が対応付けられた投稿情報を受信して、前記特定のテーマに対応付けられた一または複数のオブジェクトが配置された第２画像であって、前記一または複数のオブジェクトの何れかが操作された場合に、前記操作されたオブジェクトに対応付けられた属性情報と同じ属性情報が対応付けられた投稿情報を前記サーバ装置から取得し、前記サーバ装置から取得した投稿情報の閲覧が可能になる第２画像を生成し、自端末装置の表示部に表示させる処理と、
を実行させるためのプログラム。
【発明の詳細な説明】
【技術分野】
【０００１】
本発明の実施形態は、通信システム、サーバ装置、通信制御方法、及びプログラムに関する。
【背景技術】
【０００２】
従来、インターネットを介して利用者同士が互いにコミュニケーションをとるＳＮＳなどの通信サービスが知られている。例えば、ＳＮＳ（Social Networking Service）などの通信サービスは、仮想空間上に設けられた場を利用するサービスを提供する。上記の通信サービスを利用することにより、メール、チャット、通話などの１：１のコミュニケーションに加え、ＳＮＳに設けられているグループ、フォーラム、コミュニティなどの場を利用して、複数の利用者同士が互いにコミュニケーションを実現できることが知られている（特許文献１）。
【０００３】
これまでのＳＮＳなどの通信サービスは、仮想空間上に設けられた場を、利用者同士のコミュニケーションの場として提供しているに過ぎない。多くのＳＮＳは、利用者が投稿した時点に決定された順で、その投稿による記事を閲覧可能にしている。そのため、利用者同士に共通するテーマに関する情報が投稿されていても、利用者がその情報を見落としたり、互いに情報を共有することによる共感を得ることができなかったりする場合がある。
【先行技術文献】
【特許文献】
【０００４】
【特許文献１】特開２０１１−５３９９１号公報
【発明の概要】
【発明が解決しようとする課題】
【０００５】
本発明が解決する課題は、利用者同士に共通するテーマに関する情報の共有を、より深いレベルで実現する通信システム、サーバ装置、通信制御方法、及びプログラムを提供することである。
【課題を解決するための手段】
【０００６】
実施形態の通信システムは、サーバ装置と端末装置を持つ。サーバ装置は、登録ユーザ間のコミュニケーションを支援する。前記サーバ装置は、情報取得部と、投稿情報抽出部と、サーバ通信処理部と、を持つ。情報取得部は、前記登録ユーザにより使用される端末装置が送信した投稿情報と属性情報とを含む情報を取得する。投稿情報抽出部は、前記情報取得部により複数の登録ユーザから取得された複数の投稿情報の中から、前記複数の登録ユーザのうち一部の登録ユーザに共通する情報に関連付けられる特定のテーマに対応する投稿情報を、属性情報に基づき抽出する。サーバ通信処理部は、前記投稿情報抽出部により抽出された投稿情報を前記端末装置に送信する。前記端末装置は、表示部と、表示制御部と、情報受付部と、端末通信処理部とを持つ。表示部は、画像を表示する。表示制御部は、前記登録ユーザが操作する対象の一または複数のオブジェクトが配置された第１画像を前記表示部に表示させる表示制御部であって、前記一または複数のオブジェクトの何れかが操作された場合に、投稿情報とオブジェクトとが属性情報によって対応付けられた情報を参照し、前記操作されたオブジェクトに対応付けられた属性情報と同じ属性情報が対応付けられた投稿情報を前記サーバ装置から取得し、前記サーバ装置から取得した投稿情報の閲覧が可能になる第２画像を前記表示部に表示させ、或いは、前記一または複数のオブジェクトの何れかが操作された場合に、投稿情報の入力を受け付けるための第３画像を前記表示部に表示させる。情報受付部は、前記登録ユーザが前記第３画像に対して投稿する投稿情報を受け付けて、自端末装置の登録ユーザの投稿情報と前記操作されたオブジェクトとを対応付ける属性情報を生成する。端末通信処理部は、前記情報受付部により受け付けられた前記投稿情報と前記属性情報とを含む送信情報を前記サーバ装置宛に送信する。
【図面の簡単な説明】
【０００７】
【図１】実施形態における通信システム１の構成の一例を示す図。
【図２】通信システム１を利用者の視点で模式化して示す図。
【図３】通信システム１を模式化して示す図。
【図４】登録ユーザがそれぞれ利用可能な通信サービスを示す図。
【図５】通信システム１のより具体的な一例を示す構成図。
【図６】利用者管理情報ＤＢ１７１の一例を示す図。
【図７】サービス利用管理情報ＤＢ１７２の一例を示す図。
【図８】投稿情報ＤＢ１７４の一例を示す図。
【図９】共有情報ＤＢ１７５の一例を示す図。
【図１０】指定変数情報ＤＢ２７２の一例を示す図。
【図１１】収集情報ＤＢ２７３と投稿情報ＤＢ２７４の一例を示す図。
【図１２】端末装置２０の入出力部２１に表示されるサービス選択画面の表示例を示す図。
【図１３】ある通信サービスを利用して投稿情報を閲覧する場合のシーケンス図。
【図１４】サーバ装置１０に投稿する処理について説明するための図。
【図１５】アイドル応援サイトとして提供される通信サービスによって提供される画面の表示例を示す図。
【図１６】通信システム１を利用するファンの感動の程度を模式化して示す図。
【図１７】ファン同士が感動を共有する仕組みを説明するための図。
【図１８】Ｂ級グルメコミュニティによって提供される画面の表示例を示す図。
【図１９】自転車コミュニティによって提供される画面の表示例を示す図。
【図２０】家族の情報共有に適用する通信サービスを説明するための図。
【図２１】ある通信サービスを利用して投稿情報を閲覧する場合のシーケンス図。
【図２２】ある通信サービスを利用して投稿情報を閲覧する場合のシーケンス図。
【図２３】ある通信サービスにおける投稿情報のデータ形式の一例を示す図。
【図２４】コミュニティの検索と追加について説明するための図。
【図２５】アイドル応援サイトにおけるポイント管理とノベルティの付与に関する画面の表示例を示す図。
【発明を実施するための形態】
【０００８】
以下、実施形態の通信システム、サーバ装置、通信制御方法、及びプログラムを、図面を参照して説明する。
【０００９】
（第１の実施形態）
通信システム１は、電気通信サービス（以下、単に通信サービスという。）を利用する利用者間のコミュニケーションが活性化するように、利用者同士に共通するテーマに関する情報の共有を、より深いレベルで実現させることを支援する。図１は、実施形態における通信システム１の構成の一例を示す図である。本実施形態における通信システム１は、サーバ装置１０と、端末装置２０と、検出装置３０とを持つ。
【００１０】
サーバ装置１０は、共通するテーマ（目的）を有する利用者間に、一又は複数の仮想空間上に設けられた場を、利用者同士のコミュニケーションの場として利用させる一又は複数種類の通信サービスを提供する。サーバ装置１０は、そのテーマに関する利用者の情報を比較可能に示して、利用者同士のコミュニケーションを支援する。例えば、サーバ装置１０は、そのテーマに関する利用者の体験データ（情報）を見える化(画像化)し、同じ趣味・趣向をもった利用者同士で共有・比較することによって、共感を高めていくコミュニケーションを支援するものである。
【００１１】
端末装置２０は、利用者が情報を投稿したり、閲覧したりする際に使用する装置である。
【００１２】
図１に示す符号Ｇ１からＧ３は、テーマの情報共有の目的とする利用者のグループを示す。同じグループに属するメンバーは、通信システム１、つまり、利用が制限された通信サービスを利用して、メンバー間で互いの情報を共有する。この通信サービスは、メンバー以外の利用を制限することができる。符号Ｓ１からＳ３は、通信サービスと、その通信サービスを利用可能な範囲を示す。図に示すように、通信サービスＳ１からＳ３は、グループＧ１からＧ３にそれぞれ対応付けられている。例えば、サーバ装置１０は、上記のテーマごとに予め登録された利用者を管理して、その利用者に対してテーマに対応する通信サービスを提供する。
【００１３】
以下の説明で、上記のグループをコミュニティとい、そのメンバーは通信サービスのユーザ（以下、登録ユーザという。）として予め登録される。各利用者は、１又は複数のコミュニティのメンバーとなることができ、その場合、対象の通信サービスごとに、その利用者（登録ユーザ）として登録される。
【００１４】
（利用者から見えるサービス）
図２は、通信システム１を利用者の視点で模式化して示す図である。図２において、互いに異なるテーマのコミュニティの場をそれぞれ提供する通信システム１の一例を示す。上記の通信サービスの登録ユーザは、コミュニティ内の他の登録ユーザと共有したいと欲する情報（投稿情報）を、端末装置２０（図１）などを利用して、当該コミュニティに投稿する。その投稿情報は、コミュニティにおいて各登録ユーザに対して所定の公開方法で公開される。その後、同様の端末装置２０を使用する他の登録ユーザも、それぞれの端末装置２０を利用することにより、当該コミュニティにおいて公開された投稿情報等を閲覧できるようになる。なお、上記の投稿情報には、登録ユーザの行動を検出する端末装置２０、検出装置３０（図１）等により検出された当該登録ユーザの行動履歴に関する情報が含まれる場合がある。上記の場合、各コミュニティにおいて、登録ユーザは、それぞれの登録ユーザの行動履歴にもとづいたコミュニケーションを実施できる。なお、各コミュニィティとして提供されるサービスは、あたかも図２に示すように独立して設けられたものとなる。
【００１５】
（通信システムの概略モデル）
図３は、通信システム１を模式化して示す図である。上記のとおり、通信システム１は、通信サービスの形で仮想空間上の各コミュニティ（図２）の場を提供する。例えば、通信システム１が提供する通信サービスには、サーバ装置１０と端末装置２０との組み合わせによる通信サービスが含まれる。
【００１６】
通信システム１は、登録ユーザからの視線によれば、あたかも各コミュニティが独立したシステムによって提供されていると認識させるように、各通信サービスを提供する。例えば、端末装置２０において実行されるプログラム（以下、ＡＰＬという）は、各コミュニティにおいて互いに異なるＵＸ（User Experience）デザインを利用可能にし、ＡＰＬの実行によりそのサービスを提供する。ＵＸデザインの具体的な例については後述する。このように通信システム１は、ＵＸデザインを前述のテーマに適したものにすることにより、互いにテーマが異なる様々な用途にも適用することができる。
【００１７】
なお、通信システム１は、各コミュニティの開設者（運営の主体者）が、共通であっても、或いは、それぞれ異なっていてもよく、また、各コミュニティの運営の主体者が、特定の個人や企業であってもよく、個人と企業を問わずに複数が混在してもよいものである。つまり、通信システム１は、コミュニティの開設者や運営者に制限されることなく、コミュニティ単位で独立して、コミュニティ内に閉じられた通信サービスを提供することができる。
【００１８】
（投稿情報の閲覧処理の概要）
通信システム１による投稿情報の閲覧処理の概要について説明する。サーバ装置１０の記憶部１７には、各登録ユーザから投稿された一又は複数の投稿情報がユーザデータ（ＵＤ）として格納されている。符号ＵＤ１１１，１２１，１３１，１３２，１４２、１５２、１６３、１７３は、投稿情報の一例である。各投稿情報を纏めて示す場合に、投稿情報ＵＤということがある。投稿情報ＵＤ１１１，１２１，１３１，１３２，１４２、１５２、１６３、１７３のそれぞれは、符号Ｕ１１，１２，１３，１３，１４,１５,１６,１７で識別される登録ユーザ（図１、図２）の投稿情報ＵＤを示す。例えば、登録ユーザＵ１３は、通信サービスＳ１とＳ２の登録ユーザであり、他の登録ユーザは、それぞれ１つの通信サービスを利用するものとする。上記の関係を図４に示す。図４は、登録ユーザがそれぞれ利用可能な通信サービスを示す図である。その対応関係は、前述の図１から図３に対応する。
【００１９】
なお、図４に示す情報を格納するマイページＤＢ１７３を設けてもよい。マイページＤＢ１７３には、登録ユーザが利用可能な各通信サービスの情報が格納される。図中の空欄は、上記のＳ１、Ｓ２、Ｓ３、・・・などの通信サービスのうち利用が許可されていない通信サービスを示し、Ｐ１１１，Ｐ１２１，・・・等が記載されている欄に対応するする通信サービスの利用が許可されていることを示す。なお、Ｓ０には、上記のＳ１、Ｓ２、Ｓ３、・・・などの全ての通信サービスを統合するマイページ（ＭｙＰａｇｅ）に対応するデータが格納される。
【００２０】
上記のマイページとは、例えば、統合アプリケーション(統合ＡＰＬ)やポータルサイトに相当する。このマイページは、通信システム１の全登録ユーザに対し、登録ユーザごとに設けられている。登録ユーザは、このマイページを開く（閲覧する）ことにより、直接的に自身のデータ、すなわち投稿情報を含むユーザデータの全て見ることができる。通信システム１は、このマイページに、各コミュニティへの入り口を統合したポータルサイトとしての機能を備えるように構成してもよい。
【００２１】
例えば、複数の通信サービスを利用する登録ユーザＵ１３については、該当する通信サービスのデータであるＰ１３１とＰ１３２がマイページＤＢ１７３に格納されている。この登録ユーザＵ１３の場合には、登録ユーザＵ１３のマイページに対応するデータとしてＰ１３０が格納されている。つまり、Ｐ１３０は、Ｐ１３１とＰ１３２とに基づいて生成されたデータである。
【００２２】
サーバ装置１０の制御部１９は、記憶部１７に記憶されている一部又は全ての投稿情報ＵＤのうちから、フィルタ手段ＳＦによって、該当する通信サービスに対応する投稿情報ＵＤを抽出する。符号ＳＦ１、ＳＦ２，ＳＦ３，ＳＦ４，ＳＦ５は、フィルタ手段ＳＦの一例である。フィルタ手段ＳＦは、コミュニティ、つまり通信サービスに対応させて設けられている。例えば、フィルタ手段ＳＦ１は、サービス識別情報をＳ１として識別可能な通信サービスに対応する。フィルタ手段ＳＦ１の対象とする投稿情報ＵＤは、投稿情報ＵＤ１１１，１２１，１３１である。フィルタ手段ＳＦ１は、投稿情報ＵＤ１１１，１２１，１３１のうちから所望の投稿情報ＵＤを抽出する。
【００２３】
フィルタ手段ＳＦ１以外のフィルタ手段ＳＦについても同様である。なお、フィルタ手段ＳＦは、端末装置２０から受け付けた要求に応じた抽出処理を実施して、抽出された投稿情報ＵＤを出力するようにしてもよい。
【００２４】
このフィルタ手段ＳＦは、端末装置２０から取得した投稿情報ＵＤを、該当する登録ユーザと通信サービスを識別可能にして、記憶部１７の所定の記憶領域に格納する。
【００２５】
（情報の投稿処理の概要）
通信システム１における情報の投稿処理についての概要について説明する。端末装置２０は、例えば、登録ユーザＵ１３が投稿する情報（投稿情報）を、ＡＰＬによる処理ＭＰ１を介してサーバ装置１０宛に送信する。サーバ装置１０は、その投稿情報をフィルタ手段ＳＦ１により取得して、記憶部１７における投稿情報ＵＤ１３１の一部又は全部として取得した投稿情報ＵＤを格納する。サーバ装置１０は、当該テーマの全登録ユーザに対して所定の公開方法で公開する。この段階で、記憶部１７に格納された投稿情報は、通信サービスＳ１の登録ユーザから参照可能な状態になる。
つまり、同様の端末装置２０を使用する他の登録ユーザも、それぞれの端末装置２０のＡＰＬによる処理により、サーバ装置１０が公開した投稿情報ＵＤ等を閲覧可能に表示する。
【００２６】
上記は、登録ユーザＵ１３が通信サービスＳ１を利用して投稿情報ＵＤ１３１を公開する場合を例示したが、登録ユーザＵ１３は、通信サービスＳ２も利用することができる。この場合、端末装置２０は、例えば、登録ユーザＵ１３が投稿する情報（投稿情報）を、ＡＰＬによる処理ＭＰ２を介してサーバ装置１０宛に送信する。サーバ装置１０は、その投稿情報をフィルタ手段ＳＦ２により取得して、記憶部１７における投稿情報ＵＤ１３２の一部又は全部として取得した投稿情報ＵＤを格納する。同様にサーバ装置１０は、当該テーマの全登録ユーザに対して所定の公開方法で公開する。
【００２７】
他の登録ユーザについても上記と同様に、通信システム１は、その情報の閲覧処理と投稿処理を、制限された範囲内で利用可能とし、互いの情報を共有できるように支援する。
【００２８】
なお、端末装置２０は、特定の通信サービスを利用する際に、特定の情報を収集するための検出装置３０を組み合わせて利用する場合がある。
【００２９】
図５は、通信システム１のより具体的な一例を示す構成図である。
（サーバ装置の構成）
同図に示すサーバ装置１０は、入出力部１１、通信部１５、記憶部１７、制御部１９を備える。
【００３０】
入出力部１１は、画像を表示する表示部（不図示）と、端末装置２０の利用者の操作を受け付ける操作検出部（不図示）とを有する。
【００３１】
通信部１５は、制御部１９からの制御により、ネットワークＮＷを介して端末装置２０と通信する。通信部１５は、端末装置２０からの呼び出しに応じて、制御部１９にその検出結果を通知する。
【００３２】
記憶部１７は、ＲＡＭ（Random Access Memory）、ＲＯＭ（Read Only Memory）などの半導体メモリと、ＨＤＤ（hard disk drive）等のストレージ装置とを有する。記憶部１７は、利用者管理情報ＤＢ（データベース。以下同様。）１７１、サービス利用管理情報ＤＢ１７２、マイページ情報ＤＢ１７３、投稿情報ＤＢ１７４、及び、共有情報ＤＢ１７５を備える。記憶部２７の各部の詳細については後述する。
【００３３】
制御部１９は、表示制御部１９１、情報受付部１９２、サーバ通信処理部１９３、情報取得部１９４、投稿情報抽出部１９５、範囲抽出部１９６、画像生成部１９７、管理処理部１９８、及び、統合処理部１９９を備える。情報取得部１９４、投稿情報抽出部１９５、範囲抽出部１９６、及び、管理処理部１９８は、上記のフィルタ手段ＳＦの一例である。
【００３４】
制御部１９が含む上記の各機能部は、ＣＰＵ（Central Processing Unit）などのプロセッサがプログラムを実行することにより実現される。なお、制御部１９の機能部のうち一部または全部は、ＬＳＩ（Large Scale Integration）、ＡＳＩＣ（Application Specific Integrated Circuit）、ＦＰＧＡ（Field-Programmable Gate Array）等のハードウェア機能部であってもよい。制御部１９の各部の詳細については後述する。
【００３５】
（端末装置の構成）
同図に示す端末装置２０は、入出力部２１、検出部２３、通信部２５、記憶部２７、制御部２９を含む。これらの構成要素は、端末装置２０内のバス等を介して相互に通信可能に接続される。
【００３６】
入出力部２１は、画像を表示する表示部（不図示）と、端末装置２０の利用者の操作を受け付ける操作検出部（不図示）とを有する。例えば、入出力部２１は、タッチパネルを設けたＬＣＤ表示部として形成される。入出力部２１は、表示部に表示された画像に対し、利用者がタッチパネルに触れた位置を検出し、検出した位置を示す情報を出力する。なお、入出力部２１は、表示部の一例である。
【００３７】
検出部２３は、利用者による端末装置２０に対する操作に関する位置以外の各種物理量を検出する一又は複数のセンサーである。例えば、検出部２３は、加速度センサー、ＧＰＳセンサー、温度センサーなどの専用のセンサーであってもよく、カメラとして機能する撮像素子などのように他の機能と兼用するセンサーであってもよい。検出部２３により検出された物理量は、端末装置２０を操作する利用者の行動を示す情報として利用される。
【００３８】
通信部２５は、他の装置とネットワークＮＷ等を介して通信を行う。ネットワークＮＷは、ＬＡＮ（Local Area Network）やＷＡＮ（Wide Area Network）等を含む。例えば、通信部２５は、制御部２９からの制御により、ネットワークＮＷを介してサーバ装置１０と通信することにより、情報をサーバ装置１０に送信し、また、サーバ装置１０から情報を受信する。
【００３９】
また、通信部２５は、検出装置３０と通信する。検出装置３０との通信においては、上記のＬＡＮやＷＡＮに加え、赤外光、可視光などを利用する光通信方式又は近距離無線通信方式などの方法を利用してもよい。通信部２５は、制御部２９からの制御により検出装置３０と通信することにより、検出装置３０により検出された各種情報を取得してもよい。なお、通信部２５は、サーバ装置１０又は検出装置３０からの呼び出しに応じて、制御部２９にその検出結果を通知することがある。
【００４０】
記憶部２７は、ＲＡＭ（Random Access Memory）、ＲＯＭ（Read Only Memory）などの半導体メモリと、ＨＤＤ等のストレージ装置とを有する。記憶部２７は、利用者属性情報ＤＢ２７１、指定変数情報ＤＢ２７２、収集情報ＤＢ２７３、投稿情報ＤＢ２７４、及び、共有情報ＤＢ２７５を備える。記憶部２７の各部の詳細については後述する。
【００４１】
制御部２９は、表示制御部２９１、情報受付部２９２、端末通信処理部２９３、範囲抽出部２９６、画像生成部２９７、及び、個別処理部２９８を備える。範囲抽出部２９６、画像生成部２９７、及び、個別処理部２９８は、上記のＡＰＬの一例である。
【００４２】
制御部２９が含む上記の各機能部は、ＣＰＵ（Central Processing Unit）などのプロセッサがプログラムを実行することにより実現される。なお、制御部２９の機能部のうち一部または全部は、ＬＳＩ（Large Scale Integration）、ＡＳＩＣ（Application Specific Integrated Circuit）、ＦＰＧＡ（Field-Programmable Gate Array）等のハードウェア機能部であってもよい。制御部２９の各部の詳細については後述する。
【００４３】
（検出装置の構成）
同図に示す検出装置３０は、入出力部３１、検出部３３、通信部３５、記憶部３７、制御部３９を備える。
【００４４】
入出力部１１は、検出装置３０の制御状態を表示する表示部（不図示）と、検出装置３０の制御モードを切り替えるための操作検出部（不図示）とを有する。入出力部１１は、検出部３３により検出された状態を表示してもよい。
【００４５】
検出部３３は、利用者の行動や体調を示す各種物理量を検出する一又は複数のセンサーである。例えば、検出部３３は、加速度センサー、ＧＰＳセンサー、温度センサー（体温計）、心拍計などの専用のセンサーであってもよく、カメラとして機能する撮像素子、マイクなどの録音デバイスに備えられる素子などのように他の機能と兼用するセンサーであってもよい。検出部３３により検出された物理量は、利用者の行動を示す情報として利用される。
【００４６】
通信部３５は、制御部３９からの制御により端末装置２０と通信する。通信部３５は、端末装置２０からの呼び出しに応じて、制御部３９にその検出結果を通知する。
【００４７】
記憶部３７は、ＲＡＭ（Random Access Memory）、ＲＯＭ（Read Only Memory）などの半導体メモリを有する。さらに、記憶部３７は、ＨＤＤ（hard disk drive）等のストレージ装置を有するものであたり、外部に設けられたストレージ装置をその一部としてもよい。記憶部３７は、端末装置識別情報、指定変数情報、収集情報などを格納する。端末装置識別情報は、通信を許可する端末装置の識別情報である。指定変数情報は、検出部３３を機能させてデータを収集する際の周期、データ形式などを指定する変数、収集したデータを端末装置２０宛に送信する際のデータ形式、伝文のフォーマットなどを含む。収集情報は、検出部３３を機能させて収集したデータを含む。
【００４８】
制御部３９は、ＣＰＵ（Central Processing Unit）などのプロセッサがプログラムを実行することにより実現される。なお、制御部３９は、ＬＳＩ（Large Scale Integration）、ＡＳＩＣ（Application Specific Integrated Circuit）、ＦＰＧＡ（Field-Programmable Gate Array）等のハードウェア機能部であってもよい。制御部３９は、記憶部３７に格納されたプログラムに従って、検出部３３を機能させて、所定の周期で所定のデータ形式のデータを収集し、そのデータを収集情報として記憶部３７に書き込む。制御部３９は、端末装置２０からの要求により、収集情報を端末装置２０に送信する。また、制御部３９は、検出装置３０が備える他の機能を実現するための制御を実施する。その詳細については後述する。
【００４９】
（サーバ装置１０の記憶部１７に格納する各種情報について）
以下、図６から図１０を参照して記憶部１７に格納する各種情報の一例を順に説明する。
【００５０】
図６は、利用者管理情報ＤＢ１７１の一例を示す図である。利用者管理情報ＤＢ１７１は、利用者識別情報、利用者ニックネーム、利用検出装置などの項目のデータを格納する。利用者識別情報には、通信システム１を利用する各利用者を一意に識別する識別子が格納される。利用者ニックネームには、利用者から申請に基づいて決定される利用者のニックネーム、氏名、名称などが格納される。例えば、利用者ニックネームなどは、投稿情報として投稿されたコメントや各種データなどが公開される際などに、そのコメントのシグネチャとして付与される。利用検出装置には、利用者が各通信サービスを利用する際に、利用者自身の行動を記録する装置の種別を示す製造メーカ、機種コードなどを組み合わせたデータが格納される。上記の各項目のデータは、利用者識別情報により識別される利用者毎に格納される。例えば、上記の各項目のデータは、情報取得部１９４によって端末装置２０から取得されてそれぞれの項目に書き込まれる。
【００５１】
図７は、サービス利用管理情報ＤＢ１７２の一例を示す図である。サービス利用管理情報ＤＢ１７２は、通信サービス識別情報、テーマ、名称、メンバー条件、データ収集要領、登録利用者識別情報、などの項目のデータを格納する。通信サービス識別情報には、利用可能な通信サービスを一意に識別する識別子が格納される。テーマには、通信サービスを利用して共有される主題とされるキーワードなどが格納される。名称には、通信サービスに対応するコミュニティなどの名称が格納される。メンバー条件には、通信サービスを利用することを許可するメンバーの条件が格納される。データ収集要領には、検出して収集する検出情報の種別、データ形式、検出周期などの条件が、検出情報の種別に対応付けされて格納される。登録利用者識別情報には、メンバーとして登録されている利用者を識別するための情報が格納される。例えば、利用者を識別するための情報は、利用者識別情報と同一、又は、利用者識別情報に対応する情報などであってもよい。上記の各項目のデータは、通信サービス識別情報により識別される通信サービス毎に格納される。例えば、上記の各項目のデータは、情報取得部１９４によって端末装置２０から取得されてそれぞれの項目に書き込まれる。
【００５２】
図８は、投稿情報ＤＢ１７４の一例を示す図である。投稿情報ＤＢ１７４は、通信サービス識別情報、テーマ、名称、イベント、日時、場所／位置、登録利用者識別情報、投稿情報（利用者コメント、収集データ）などの項目のデータを格納する。通信サービス識別情報、テーマ、名称、登録利用者識別情報については、前述のサービス利用管理情報ＤＢ１７２と同じである。イベントには、催し物（イベント）を特定するデータが格納される。日時には、催し物（イベント）を特定する日時、投稿情報を投稿した際の日時の一方、又は両方のデータが格納される。場所／位置には、催し物（イベント）又は催し物が開催される場所（会場）、テーマに関連する場所、投稿情報に直接的に関連する場所、位置、店舗などを示す何れかのデータが格納される。投稿情報には、利用者コメント、収集データなどの利用者が投稿した情報が格納される。なお、投稿情報には、投稿された情報の種別を示す種別情報などの属性情報を、利用者が投稿した情報に関連付けて格納してもよい。属性情報には、上記の他、日時、場所、イベント情報、利用者識別情報などを含めてもよい。
【００５３】
図９は、共有情報ＤＢ１７５の一例を示す図である。共有情報ＤＢ１７５は、通信サービス識別情報、テーマ、名称、イベント、日時、場所／位置、提供画面、提供情報などの項目のデータを格納する。通信サービス識別情報、テーマ、名称、イベント、日時、場所／位置の各項目については、前述の投稿情報ＤＢ１７４と同じである。提供画面には、当該コミュニティ内で一又は複数の催し物（イベント）等の情報を収集するために、各メンバーに対して提供される画面が格納される。提供情報には、当該コミュニティ内で一又は複数の催し物（イベント）等の情報を収集するために、各メンバーに対して提供される各種情報が格納される。上記の各項目のデータは、通信サービス識別情報により識別される通信サービス毎に格納される。例えば、上記の各項目のデータは、情報取得部２９４によってサーバ装置１０から取得されるか、或いは、入出力部１１から投入されたデータとして取得されてそれぞれの項目に書き込まれる。
【００５４】
（記憶部２７に格納する各種情報について）
次に、記憶部２７に格納する各種情報の一例を順に説明する。記憶部２７に格納する各種情報は、前述の図６から図９に示す記憶部１７に格納する各種情報に対応する。以下、異なる点を中心に説明する。利用者属性情報ＤＢ２７１、指定変数情報ＤＢ２７２、収集情報ＤＢ２７３、投稿情報ＤＢ２７４、及び、共有情報ＤＢ２７５のうち、利用者属性情報ＤＢ２７１と共有情報ＤＢ２７５は、記憶部１７の利用者属性情報ＤＢ１７１と共有情報ＤＢ１７５に対応する。
【００５５】
図１０は、指定変数情報ＤＢ２７２の一例を示す図である。指定変数情報ＤＢ２７２は、通信サービス識別情報、テーマ、名称、データ収集要領、投稿情報送信要領などの項目のデータを格納する。通信サービス識別情報、テーマ、名称、データ収集要領の各項目については、前述のサービス利用管理情報ＤＢ１７２と同じである。投稿情報送信要領には、投稿情報を送信する際に、データ形式などを揃えて送信するように項目、各項目のデータ形式などを規定する情報が格納される。上記の各項目のデータは、通信サービス識別情報により識別される通信サービス毎に格納される。例えば、上記の各項目のデータは、情報取得部２９４によってサーバ装置１０から取得されてそれぞれの項目に書き込まれる。
【００５６】
図１１は、収集情報ＤＢ２７３と投稿情報ＤＢ２７４の一例を示す図である。
図１１に示すように収集情報ＤＢ２７３は、通信サービス識別情報、テーマ、名称、イベント、日時、場所／位置、登録利用者識別情報、投稿情報（収集データ）などの項目のデータを格納する。収集情報ＤＢ２７３の投稿情報以外の各項目は、前述のサービス利用管理情報ＤＢ１７２と同じである。収集情報ＤＢ２７３の投稿情報は、検出装置３０又は端末装置２０の情報検出部１３により検出されたデータが情報取得部１９４によって書き込まれる。上記の各項目のデータは、利用が許可されている通信サービスの通信サービス識別情報により識別される通信サービス毎に格納される。例えば、登録ユーザＵ１３の場合には、通信サービスＳ１とＳ２のデータが格納される。上記の投稿情報以外の各項目のデータは、情報取得部２９４によってサーバ装置１０から取得されてそれぞれの項目に書き込まれる。
【００５７】
図１１に示すように投稿情報ＤＢ２７４は、通信サービス識別情報、テーマ、名称、イベント、日時、場所／位置、登録利用者識別情報、投稿情報（利用者コメント）などの項目のデータを格納する。投稿情報ＤＢ２７４の投稿情報以外の各項目は、前述のサービス利用管理情報ＤＢ１７２と同じである。投稿情報ＤＢ２７４の投稿情報は、入出力部１１の操作を通して検出された利用者コメントが情報取得部１９４によって書き込まれる。上記の各項目のデータは、利用が許可されている通信サービスの通信サービス識別情報により識別される通信サービス毎に格納される。例えば、登録ユーザＵ１３の場合には、通信サービスＳ１とＳ２のデータが格納される。上記の投稿情報以外の各項目のデータは、情報取得部２９４によってサーバ装置１０から取得されてそれぞれの項目に書き込まれる。
【００５８】
図１２を参照して、端末装置２０の操作により利用する通信サービスの選択について説明する。図１２は、端末装置２０の入出力部２１に表示されるサービス選択画面の表示例を示す図である。この端末装置２０の記憶部２７には、複数のＡＰＬが格納されているものとする。
【００５９】
図１２に示す符号２１０ａは、端末装置２０に表示されている全体の領域を示している。この全体の領域のうち符号２１０ｂの領域には、端末装置２０に登録され、選択可能なプログラムがアイコンＫＡＰＬ１からＫＡＰＬ８までの複数のアイコンＫＡＰＬとして表示されている。各アイコンＫＡＰＬには、選択可能なプログラムがそれぞれ対応付けられている。符号２１０ｂの領域に表示されたアイコンＫＡＰＬは、選択可能なプログラムの一部又は全部を示す。
【００６０】
例えば、アイコンＫＡＰＬは、通信サービスを利用するための操作子である。例えば、各アイコンＫＡＰＬは、画面の下段に示す通話、電子メール、ブラウザ、検索、マイページなどのサービスを利用するための通信サービスの他に、上段に示すアイドル応援サイト、Ｂ級グルメコミュニティ、自転車コミュニティ、家族の連絡サイトを利用するための通信サービスに対応するプログラムに対応して設けられている。
【００６１】
登録ユーザは、端末装置２０を操作して、マイページ（ＫＡＰＬ８）、或いは、特定のＡＰＬを選択することにより。選択したＡＰＬに対応する通信サービスを利用可能にする。端末装置２０は、登録ユーザのアイコンＫＡＰＬを選択する操作を受け付けて、対応するＡＰＬを起動させる。端末装置２０は、登録ユーザが選択したＡＰＬに対応する通信サービスを利用可能にする。例えば、アイコンＫＡＰＬ８が操作されると、端末装置２０は、マイページとして用意された画面を展開する。端末装置２０は、このマイページを開くことにより、登録ユーザの各データへのアクセスを可能にする。例えば、端末装置２０は、マイページとして開いた画面から、ポータルサイトの利用を可能にし、さらに、上記のアイドル応援サイト、Ｂ級グルメコミュニティ、自転車コミュニティ、家族の連絡サイトなどを利用できるようにしてもよい。ここで、各登録ユーザが利用可能なコミュニティなどは、マイページＤＢ１７３に格納されているＳ０のデータにより決定される。
【００６２】
図１３は、ある通信サービスを利用して投稿情報を閲覧する場合のシーケンス図である。図１３に示す投稿情報を閲覧するための一連の処理を実施するまでに、サーバ装置１０の記憶部１７の投稿情報ＤＢ１７４には、既に情報取得部１９４により一又は複数の登録ユーザから取得された一又は複数の投稿情報が格納されている状態にあるものとする。
【００６３】
まず、端末装置２０の情報受付部２９２は、サーバ装置１０に格納されている情報を表示させるための操作を受け付けて、その操作に対応する要求メッセージをサーバ装置１０宛に送信する（Ｓ１１１）。例えば、上記の要求メッセージには、対象とする通信サービスの識別情報（条件Ａ）と、所望の情報を得るための抽出条件（条件Ｂ）と、抽出された情報の表示方法を指定する処理条件（条件Ｃ）が含まれる。
【００６４】
サーバ装置１０の情報取得部１９４は、サーバ通信処理部１９３を介して、端末装置２０が送信した要求メッセージを取得する。
【００６５】
次に、投稿情報抽出部１９５は、要求メッセージに利指定される条件Ａに基づいて、記憶部１７に格納されている複数の投稿情報のうちから、通信サービスの識別情報に対応する投稿情報を抽出する（Ｓ１１２）。通信サービスの識別情報に対応する投稿情報として、条件Ａに対応するものが抽出される。条件Ａにもとづいて抽出される投稿情報は、共通のテーマに対応するものになる。
【００６６】
次に、範囲抽出部１９６は、端末装置２０から指定された抽出条件（条件Ｂ）に従って、条件Ａに対応する投稿情報、すなわちＳ１１２において抽出された投稿情報のうちから一部または全部を抽出する（Ｓ１１４）。
【００６７】
画像生成部１９７は、Ｓ１１４において範囲抽出部１９６により抽出された投稿情報に基づいて、投稿情報の閲覧および／または投稿情報の入力が可能になる画像を生成する（Ｓ１１６）。例えば、画像生成部１９７によって生成される画像は、オブジェクトが配置され、そのオブジェクトが操作されることでそのオブジェクトに対応付けられた投稿情報の閲覧および／または投稿情報の入力が可能になる画像である。生成される画像についての詳細は後述する。
【００６８】
次に、本実施形態のサーバ装置１０は、サーバ通信処理部１９３によって、少なくとも上記により生成した画像を、端末装置２０宛に送信する（Ｓ１１７）。
【００６９】
次に、端末装置２０は、端末通信処理部２９３を介して、サーバ装置から上記の画像を取得する。表示制御部２９１は、サーバ装置１０から検索結果として取得した画像を入出力部２１に表示する（Ｓ１１８）。前述のとおり、入出力部２１に表示される画像には、一または複数のオブジェクトが配置され、そのオブジェクトが操作されることで、そのオブジェクトに対応付けられた投稿情報の閲覧および／または投稿情報の入力が可能になる。
【００７０】
続いて、端末装置２０から情報を投稿する手順の一例について説明する。画像を確認した登録ユーザは、その画像に表示されているオブジェクトを操作して、情報を投稿してもよい（Ｓ１２０）。
【００７１】
例えば、端末装置２０の情報受付部２９２は、登録ユーザがオブジェクトの操作に伴って投稿する投稿情報を受け付けて、端末装置２０から投稿された登録ユーザの投稿情報と、登録ユーザにより操作されたオブジェクトとを対応付ける属性情報を生成する。端末通信処理部２９３は、情報受付部２９２により受け付けられた投稿情報とその属性情報とを含む送信情報をサーバ装置１０宛に送信する（Ｓ１２１）。
【００７２】
次に、サーバ装置１０の情報取得部１９４は、端末装置２０が送信した投稿情報を取得する。投稿情報抽出部１９５は、情報取得部１９４により取得した投稿情報を記憶部１７に書き込み（Ｓ１２２）、サーバ通信処理部１９３を介して、書込みが完了したことを端末装置２０に通知する（Ｓ１２３）。
【００７３】
端末装置２０は、端末通信処理部２９３を介して、サーバ装置から書込みが完了したことの通知を取得する。表示制御部２９１は、サーバ装置１０からの通知を受けて、書込みが完了して、投稿情報が増えたことを入出力部２１に表示する（Ｓ１２８）。この表示により、登録ユーザは端末装置の表示画面を切り換えることなく、投稿情報が増えたことを画面の表示から読み取ることができる。
【００７４】
続いて、他の端末装置２０から情報が投稿された場合の動作の一例について説明する。端末装置２０を操作している間に、他の端末装置２０から情報が投稿される場合がある（Ｓ１３０）。
【００７５】
例えば、他の端末装置２０からの投稿情報等がサーバ装置１０宛に送信される（Ｓ１３１）。サーバ装置１０の情報取得部１９４は、他の端末装置２０が送信した投稿情報を取得する。投稿情報抽出部１９５は、情報取得部１９４により取得した投稿情報を記憶部１７に書き込み（Ｓ１３２）、サーバ通信処理部１９３を介して、書込みが完了したことを各端末装置２０に通知する（Ｓ１３３）。
【００７６】
次に、端末装置２０は、端末通信処理部２９３を介して、サーバ装置１０から書込みが完了したことの通知を取得する。表示制御部２９１は、サーバ装置１０からの通知を受けて、サーバ装置１０に格納された投稿情報が増えたことを入出力部２１に表示する（Ｓ１３８）。
【００７７】
上記のように端末装置２０は、登録ユーザが端末装置の表示画面を切り換えることなく、他の端末装置２０から投稿された投稿情報が増えたことも画面に表示することができる。
【００７８】
図１４を参照して、検出装置３０からセンサー情報を取得して、それを投稿情報としてサーバ装置１０に投稿する処理について説明する。図１４は、サーバ装置１０に投稿する処理について説明するための図である。登録ユーザは、自らが携行して、自らの行動を記憶させた検出装置３０から行動履歴を示すセンサー情報を、所望のコミュニティに投稿することができる。
【００７９】
例えば、端末装置２０の情報受付部２９２は、検出装置３０からセンサー情報を取得するための操作を受け付けて、その操作に対応する情報読み出し要求メッセージを検出装置３０宛に送信する（Ｓ１５１）。例えば、上記の要求メッセージには、対象とするセンサー情報の記録日時（条件Ｆ）などの情報が含まれる。
【００８０】
検出装置３０では、制御部３９が、通信部３５を介して、読み出し要求メッセージを取得し、それに対応するセンサー情報を記憶部３７から読み出して、端末装置２０宛に送信する。情報受付部２９２は、センサー情報を検出装置３０から取得して収集情報ＤＢ２７３に書き込む。
次に、端末通信処理部２９３は、情報受付部２９２によって所得されたセンサー情報を、サーバ装置１０から指定される所定の形式に編集する（Ｓ１５２）。
次に、情報受付部２９２は、端末装置２０から検出装置３０により検出されたセンサー情報、又は、編集後のセンサー情報を投稿情報としてサーバ装置１０に送信するための操作を受け付けて、その操作に対応するデータ登録要求メッセージをサーバ装置１０宛に送信する（Ｓ１５３）。例えば、上記のデータ登録要求メッセージには、投稿情報としてセンサー情報が含まれる。
【００８１】
サーバ装置１０の情報取得部１９４は、投稿情報を含むデータ登録要求メッセージを取得する。情報取得部１９４は、取得した投稿情報を記憶部１７に書き込み（Ｓ１５４）、サーバ通信処理部１９３を介して、書込みが完了したことを各端末装置２０に通知する（Ｓ１５５）。
【００８２】
上記のような処理を実施することにより、端末装置２０は、登録ユーザが端末装置の表示画面を切り換えることなく、投稿情報が増えたことを画面に表示することができる。
【００８３】
（具体的な用途への適用）
続いて、本実施形態の通信システム１の具体的な用途への適用について具体的なシナリオを例示して説明する。
【００８４】
（シナリオ１）
以下、シナリオ１として、アイドル応援サイトとして運営されるコミュニティに通信サービスを適用する場合を例示する。
【００８５】
アイドルに好意を寄せるファンを招いて開催されるコンサートやサイン会などの各種イベントがある。例えば、特定の日時に特定の会場で、あるアイドルのコンサートが開催され、それに参加したアイドルのファンは、イベントの終了後にその余韻を楽しむため、その感動を共有できる参加者とコミュニケーションをとりたいという気持ちを持つことがある。
【００８６】
コンサートに参加していたファンは、コンサートの進行に従い曲のリズムに合わせて全身を搖動させたり、また、アイドルと同じ振りつけ或いはファン同士に共通する振りつけに従って手足を動かして、アイドルとファン同士の一体感を盛り上げたりする場合がある。
【００８７】
（シナリオ１−１：情報の共有）
このシナリオ１−１では、アイドルのコンサートに参加したファンから投稿された情報を共有する場合を例示する。各ファンには、その身体、手足の動き、或いは、心拍などを検出するセンサーが設けられている。例えば、端末装置２０の検出部２３又は検出装置３０はそのセンサーの一例である。
より具体的な例を挙げれば、検出装置３０はペンライトとして構成されていてもよい。例えば、ペンライトは、自装置の振動を検出して発光状態を切り換えるものとする。このようなペンライトが検出した振動を、ペンライトを操作したファンの行動とみなすことにより、通信機能付きのペンライトでれば検出装置３０の一例となる。
【００８８】
通信システム１では、このファンの身体、手足の動き、或いは、心拍などを、端末装置２０の検出部２３又は検出装置３０により検出する。各ファンは、図１４に示す手順などに従って、検出部２３又は検出装置３０により検出されたセンサー情報を、コンサート終了後に端末装置２０からサーバ装置１０に投稿する。サーバ装置１０は、各ファンがサーバ装置１０宛に投稿する上記のセンサー情報を端末装置２０から収集し、記憶部１７に格納する。
【００８９】
以下、ファンがセンサー情報をサーバ装置１０に投稿した後に、当該コンサートの盛り上がり具合を、センサー情報を投稿したファン同士で共有するための表示画面の一例を示す。
【００９０】
図１５は、アイドル応援サイトとして提供される通信サービスによって提供される画面の表示例を示す図である。
符号２１０ａは、端末装置２０に表示されている全体の領域を示している。
この全体の領域のうち符号２１０ｃの領域には、アイドル応援サイト（通信サービス）により提供される情報（投稿情報）が示されている。
【００９１】
画面中央に示す線Ｌ（オブジェクト）は、時間の経過を示すタイムラインであり、画面の下に向かって時間が経過することを示している。この線の一部を選択することにより、選択した位置に対応する時刻の近傍の時間範囲の情報を拡大して表示したり、その時刻に対応するコメントを投稿したりすることができる。
【００９２】
画面の左半分には、アイドルの動きや振りを記録した情報が波形ＡＣＴ１として示されている。中央から画面左側になるほど、アイドルが激しく又は頻度が高く動いていたことが示されている。一方、画面の右半分には、投稿者自身又は特定のファンの動きや振りを記録した情報が波形ＡＣＴ２、或いは、参加したファンのデータを解析した結果が示されている。中央から画面右側になるほど、ファンが激しく又は頻度が高く動いていたことが示されている。
【００９３】
この画面には、上位の表示の他、アイドルと各ファンが投稿したコメントの存在を示す吹き出し型のオブジェクトＣＯＭ１が複数表示されている。この図では、オブジェクトＣＯＭ１がメントの存在を示し、あるオブジェクトＣＯＭ１に対応付けられた時刻に比較的近い時刻のコメントについては、１つの吹き出し型のオブジェクトＣＯＭ１に纏めてその存在を示し、纏めたコメントの数を、その吹き出しの中に数値で示している。
なお、この画面の中に、大きさの異なる吹き出し型のオブジェクトＣＯＭ１が存在する。該当するコメントの数が多くなるほどオブジェクトＣＯＭ１を大きく表示する表示方法の一例を示すものである。
【００９４】
この図に示すようにコメントの数が多い時刻、すなわちオブジェクトＣＯＭ１内に示されている数値が比較的大きな時刻に、各ファンに共通して感動を与える演出や、アイドルとファンの一体感を引き出す演出の効果があったと推定されている。また、通信システム１は、関連する投稿が多いことを示すことにより、新たに投稿することに対する抵抗感を和らげることができる。また、通信システム１は、投稿に対し共感を呼び、さらなる投稿を実施する動機付けを与えることに貢献する。
【００９５】
図１５（ａ）における楕円ＯＶ１は、説明用に示したものである。タイムラインとして示される線Ｌの一部に選択操作（タップ等）がなされると、ＡＰＬ（制御部２９）は、その点を中心に表示を拡大する。図１５（ｂ）は、拡大表示の一例である。図１５（ｂ）では、前述の中央に位置していたタイムライン（線Ｌ）が画面左側に移動し、図１５（ａ）において楕円ＯＶ１で囲まれた範囲が図１５（ｂ）に示すように拡大されて表示される。図１５（ａ）に示す吹き出し型のオブジェクトＣＯＭ１は、複数の投稿情報の存在を示すものであってが、図１５（ｂ）に示す吹き出し型のオブジェクトＣＯＭ２は、個々の投稿情報を１つのオブジェクト（吹き出し）に対応させて示している。ここに表示されている吹き出しの個数が多い時刻に、各ファンに共通する感動を与える演出があったり、アイドルとファンの一体感を感じたりした結果が示されている。
【００９６】
なお、図１５（ｂ）において、異なる大きさの吹き出し型のオブジェクトＣＯＭ２が示されている。例えば、ＡＰＬは、新たに投稿されたコメントのオブジェクトＣＯＭ２を比較的大きな吹き出し型で示し、そのコメントが既読になると、比較的小さな吹き出し型で示すようにしてもよい。
【００９７】
図１５（ｂ）における楕円ＯＶ１とＯＶ２は、説明用に示したものである。この図１５（ｂ）に示された吹き出し型（オブジェクトＣＯＭ２）の何れかに選択操作（タップ等）がなされると、ＡＰＬは、その部分を中心にしてその近傍の表示を拡大する。図１５（ｃ）は、拡大表示の一例である。
【００９８】
図１５（ｃ）では、図１５（ｂ）において選択された吹き出し型（オブジェクトＣＯＭ２）とその近傍の吹き出し型（オブジェクトＣＯＭ２）が拡大して表示されており、各吹き出し型の中にそれぞれの吹き出し型に対応する投稿情報（コメント）が表示されている。
【００９９】
図１５（ａ）に示すように、波形ＡＣＴ１と波形ＡＣＴ２は比較可能な状態で、表示される。その表示を参照することにより、アイドルとファン自身、或いは、ファン同士の行動（振り）の比較が容易になる。また、アイドルを囲んで盛り上げたいという共通の目的を有するファンが、この通信サービスの登録ユーザであることから、通信システム１は、登録ユーザの行動を示す投稿情報をファンの間で共有させることができ、ファン同士の感動を高めることに寄与するものである。
【０１００】
図１６は、通信システム１を利用するファンの感動の程度を模式化して示す図である。この図は、ファンの感動の程度が時間の経過により変化する状況を示す。
イベントに参加することなどに起因する感動体験をイベント中に多くのファンが受ける。イベントが終了した後にもその感動の余韻を楽しむ時間がある。この時間帯は、最も感動を共感したい時間帯である。イベント会場を後にしてもその感動を、参加者同士で共有できることが可能になれば、ファンは十分な共感を受けることが可能になる。
通信システム１は、この時間帯に投稿情報をファン同士で共有可能にすることができ、ファンの感動経験をより男深めることができる。
【０１０１】
図１７は、ファン同士が感動を共有する仕組みを説明するための図である。ここでは、例えば、全てのファンを、アイドルに対する好意を比較的強く持つ「ディープファン」と、アイドルに対する好意を比較的軽く持つ「ライトファン」とに２分して説明する。
【０１０２】
例えば、「ディープファン」とは、ファンとしての経験が豊富で、アイドルを盛り上げるための行動を主導するようなファンである。一方、「ライトファン」とは、ファンになってからまだ日が浅く、或いは、イベントへの参加の経験が比較的少ないファンである。「ライトファン」は、他のファンと一緒に盛り上がりたいという願望を持っていても、具体的な行動を起こしにくかったりする。その一方で、「ディープファン」は、ファンの人数をもっと増やして一緒に盛り上がることを願望していても、「ライトファン」との接点を捉えにくいことがある。
【０１０３】
通信システム１は、このような異なる願望の中にある共通点を投稿情報の共有という簡易な方法で共有させるものである。通信システム１は、感動体験を数値化して情報を共有することができるという高い伝達力を有するものである。このような通信システム１を利用することにより、利用者同士の感動体験の共有が可能になる。
【０１０４】
上記の実施形態によれば、サーバ装置１０において、情報取得部１９４は、登録ユーザにより使用される端末装置２０が送信した投稿情報を取得する。投稿情報抽出部１９５は、情報取得部１９４により複数の登録ユーザから取得された複数の投稿情報のうちから、テーマに対応する投稿情報を抽出する、サーバ通信処理部１９３は、投稿情報抽出部１９５により抽出された投稿情報を端末装置２０に送信する。端末装置２０において、入出力部２１は画像を表示する。表示制御部２９１は、一または複数のオブジェクトが配置され、オブジェクトが操作されることで、オブジェクトに対応付けられた投稿情報の閲覧および／または投稿情報の入力が可能になる画像を入出力部２１に表示させる。情報受付部２９２は、登録ユーザが前記オブジェクトの操作に伴って投稿する投稿情報を受け付けて、自端末装置の登録ユーザの投稿情報と前記操作されたオブジェクトとを対応付ける属性情報を生成する。端末通信処理部２９３は、情報受付部２９２により受け付けられた投稿情報と属性情報とを含む送信情報をサーバ装置１０宛に送信する。このように通信システム１を機能させることにより、利用者同士に共通するテーマに関する情報の共有を、より深いレベルで実現することができる。
【０１０５】
また、情報取得部１９４は、端末装置２０が送信した送信情報に含まれる投稿情報と、投稿情報に対応する属性情報とを関連付けて記憶部に格納する。投稿情報抽出部１９５は、共通するテーマに対応する投稿情報を、投稿情報に対応する属性情報に基づいて抽出するものであってもよい。
【０１０６】
また、情報受付部１９２は、さらに、登録ユーザが指定する抽出条件を受け付ける。サーバ装置１０と端末装置２０の少なくとも一方は、端末装置２０が受け付けた抽出条件に従って、テーマに対応する投稿情報のうちから一部または全部を抽出する範囲抽出部を備えてもよい。
【０１０７】
また、端末通信処理部２９３は、受け付けた投稿情報と、抽出条件とを、サーバ装置１０宛に送信する。サーバ装置１０の範囲抽出部１９６は、端末装置２０が送信した抽出条件に従って、テーマに対応する投稿情報のうちから一部または全部を抽出するものであってもよい。
【０１０８】
また、サーバ装置１０と端末装置２０の何れか一方は、オブジェクトが配置され、オブジェクトが操作されることでオブジェクトに対応付けられた投稿情報の閲覧および／または投稿情報の入力が可能になる画像を生成する画像生成部を備えていてもよい。
【０１０９】
また、上記の画像生成部は、テーマに基づいて、登録ユーザである自身の投稿情報と他の登録ユーザの投稿情報とを比較容易に表示する画像を生成してもよい。
【０１１０】
また、情報受付部２９２は、過去に経験した出来事と将来起こり得る出来事の何れかの出来事に関する情報を受け付けて、投稿情報にしてもよい。
【０１１１】
また、情報受付部２９２は、自端末装置２０の登録ユーザの投稿情報を、自端末装置２０の登録ユーザの行動を検出した結果に基づいて生成してもよい。
【０１１２】
また、サーバ装置１０と端末装置２０の何れか一方は、範囲抽出部と、画像生成部と、を組にして備えてもよい。この場合、画像生成部は、オブジェクトが配置され、オブジェクトが操作されることでオブジェクトに対応付けられた投稿情報の閲覧および／または投稿情報の入力が可能になる画像を生成するものであってもよい。
【０１１３】
（第２の実施形態）
以下、第２の実施形態について説明する。第２の実施形態は、本通信システム１を、前述のシナリオ１と異なる適用例に適用する場合の一例である。以下、この相違点を中心に説明する。
【０１１４】
（シナリオ２）
シナリオ２として、趣味嗜好が共通するコミュニティの一例として提供されるＢ級グルメコミュニティによる通信サービスを例示する。図１８は、Ｂ級グルメコミュニティ（通信サービス）によって提供される画面の表示例を示す図である。
【０１１５】
符号２１０ａは、端末装置２０に表示されている全体の領域を示している。
この全体の領域のうち符号２１０ｂの領域には、対象範囲の地図とその範囲内にあるオブジェクトが示されている。符号２１０ｃの領域には、地図上に表示されたオブジェクトに関連付けられている情報（投稿情報）が示されている。
【０１１６】
符号２１０ｃの領域では、画面の下に向かって時間が経過することを示している。このサイトの登録ユーザは、表示されたコメントに対する投稿を行ってもよい。
【０１１７】
（シナリオ２−１：情報の共有）
このシナリオ２−１では、特定の日時に、特定のお店で食事した登録ユーザが、位置情報として検出された検出データと簡単なコメントなどを投稿して、その情報を共有する場合に通信システム１を利用する一例を示す。
投稿者は、検出データ等を投稿するだけで、通信システム１が、その店舗の位置を地図にマッピングした画像を生成する。投稿者は、生成された画像に示されているフラグ（吹き出し、オブジェクト）を選択すると、その選択箇所に投稿者のコメントを付記することができる。
【０１１８】
（シナリオ２−２：お勧めのお店の情報提供の支援）
あるお店で食事をして感動を受けた登録ユーザは通信システム１に、自身が食べて感じた経験に関する情報を投稿することで、そのお店がある地域に立ち寄った他の登録ユーザは、その投稿情報に紹介されているお店やメニューを選ぶことが容易になる。その結果、同じお店で同じメニューを食べるという共通の経験を登録ユーザ同士で積むことができる。
【０１１９】
このように、通信システム１は、登録ユーザに共通の経験を受けることを支援して、登録ユーザ間の話題を提供し、そのコミュニティにおけるコミュニケーションを活性化させることができる。
【０１２０】
また、投稿情報を投稿した者は、その特定のお店で特別に美味しい料理、盛り沢山な料理など特にコメントしたい料理に出会ったとする。そのお店を知っている他の登録ユーザは、投稿された情報と自身の経験との組み合わせにより、単に投稿された情報以上の情報を察して、投稿された情報にコメントすることができる。
【０１２１】
（第３の実施形態）
以下、第３の実施形態について説明する。第３の実施形態は、本通信システム１を、前述のシナリオ１及びシナリオ２と異なる適用例に適用する場合の一例である。以下、この相違点を中心に説明する。
【０１２２】
（シナリオ３）
シナリオ３として、趣味嗜好が共通するコミュニティの一例として提供される自転車コミュニティによる通信サービスを例示する。
図１９は、自転車コミュニティ（通信サービス）によって提供される画面の表示例を示す図である。
符号２１０ａは、端末装置２０に表示されている全体の領域を示している。符号２１０ａの一部の領域には、或るコースを模式化した図が示されている。この全体の領域のうち符号２１０ｂの領域には、スタート点から走行中の地点までの経過時間が、他の利用者、又は自身の経験値と対比可能なように、対象範囲内にある地点（オブジェクト）が示されている。符号２１０ｃの領域には、コース上に表示されたオブジェクトに関連付けられている情報（投稿情報）が示されている。
【０１２３】
符号２１０ｃの領域では、画面の下に向かって時間が経過することを示している。このサイトの登録ユーザは、表示されたコメントに対する投稿を行ってもよい。
【０１２４】
（シナリオ３−１：情報の共有）
このシナリオ３−１では、特定の日時に、特定のコースを走った登録ユーザが、そのコース情報と走行時に検出された検出データと簡単なコメントなどを投稿して、その情報を共有する場合に通信システム１を利用する一例を示す。
投稿者は、検出データ等をサーバ装置１０に投稿するだけで、通信システム１が、そのコースを地図にマッピングしたり、コースのアウトライン（概況）をモデル化した画像を生成したりする。投稿者は、生成された画像に示されているコース上のポイントを選択すると、その選択箇所に投稿者のコメントを付記することができる。上記の地図とコースは、オブジェクトの一例である。
【０１２５】
例えば、その特定のコースに急な上り坂（難所）が含まれていたり、景観のよい場所が含まれていたりすると、そのコースを知っている他の登録ユーザは、投稿された情報と自身の経験との組み合わせにより、単に投稿された情報以上の情報を察して、投稿された情報にコメントすることができる。
【０１２６】
（シナリオ３−２：トラブル回避の支援）
輪行中に自転車の故障やパンクに遭遇することがある。リペアツールなどを携行していない場合、見知らぬ土地で自転車を修理することは容易ではない。登録ユーザは通信システム１に、自身が遭遇したトラブル情報を投稿することで、このトラブル情報に現在の位置情報やトラブルの内容が含まれていれば、その地点の近隣の登録ユーザ、登録ユーザである自転車屋、そのコースを知る登録ユーザなどからの支援情報を速やかに得ることができる。
【０１２７】
（第４の実施形態）
以下、第４の実施形態について説明する。第４の実施形態は、本通信システム１を、前述のシナリオ１からシナリオ３までと異なる適用例に適用する場合の一例である。以下、この相違点を中心に説明する。
【０１２８】
（シナリオ４）
シナリオ４として、家族の情報共有に適用する通信サービスを例示する。図２０は、家族の情報共有に適用する通信サービスを説明するための図である。端末装置２０には、端末装置２０に表示されている地図における対象範囲内に、あるお店を示すオブジェクトが示されている。このオブジェクトに関連付けられている情報（投稿情報）が端末装置２０に示されている。
【０１２９】
（シナリオ４−１：情報の共有）
このシナリオ４−１では、家族に買い物を依頼する場合に通信システム１を利用する一例を示す。
登録ユーザである母親は、新聞の折込チラシや、インターネットで公開されているお店のＷＥＢサイトから、対象の商品の割引セールが実施されていることを知り、その商品を対象のお店で購入してもらいたいことを、通信システム１を利用して家族に通知する。
例えば、母親は、地図上から対象の店舗の位置を指定、又は、住所、電話、店舗名などから対象の店舗を特定する。上記の地図と店舗の位置を示すシンボルなどは、オブジェクトの一例である。
【０１３０】
母親から買い物の依頼を受けた家族が、対象の店舗の近くを通過しようとすると、端末装置２０には、母親からの依頼がポップアップして表示される。通信システム１は、上記のように共有する他もの投稿された投稿情報を受信した登録ユーザの行動の検出結果に応じて、対象の登録ユーザに対して、リマインドするように情報を共有させる。
【０１３１】
（第５の実施形態）
第５の実施形態について説明する。第５の実施形態では、少なくとも端末装置２０が、受け付けた抽出条件に従って、テーマに対応する投稿情報のうちから一部または全部を抽出する。第１の実施形態では、サーバ装置１０が上記の処理を実施する一例を示した。この相違点を中心に説明する。
【０１３２】
図２１は、ある通信サービスを利用して投稿情報を閲覧する場合のシーケンス図である。前述の図１３との相違点を中心に説明する。
端末装置２０の情報受付部２９２は、サーバ装置１０に格納されている情報を表示させるための操作を受け付けて、その操作に対応する要求メッセージをサーバ装置１０宛に送信する（Ｓ１１１）。例えば、上記の要求メッセージには、対象とする通信サービスの識別情報（テーマ）が含まれる。
【０１３３】
サーバ装置１０の情報取得部１９４は、登録ユーザにより使用される端末装置２０が送信した投稿情報を取得する。
投稿情報抽出部１９５は、記憶部１７に格納されている複数の投稿情報のうちから、通信サービスの識別情報に対応する投稿情報を抽出する（Ｓ１１２）。通信サービスの識別情報に対応する投稿情報として、テーマに対応するものが抽出される。
【０１３４】
本実施形態のサーバ装置１０は、範囲抽出部１９６によって抽出された、テーマに対応する投稿情報のうちの一部または全部を、端末装置２０宛に送信する（Ｓ１１３）。
【０１３５】
端末装置２０は、端末通信処理部２９３を介して、サーバ装置１０から送信された上記の投稿情報を取得する。
【０１３６】
範囲抽出部２９６は、端末装置２０が受け付けた抽出条件（条件Ｂ）に従って、テーマに対応する投稿情報のうちから一部または全部を抽出する（Ｓ１１４）。
【０１３７】
画像生成部２９７は、範囲抽出部２９６により抽出された投稿情報に基づいて、投稿情報の閲覧および／または投稿情報の入力が可能になる画像を生成する（Ｓ１１６）。表示制御部２９１は、画像生成部２９７によって生成された画像を入出力部２１に表示する（Ｓ１１８）。上記のように画像生成部２９７によって生成される画像として、例えば、前述の画像生成部１９７によって生成される画像と同様の画像を得ることができる。
【０１３８】
上記の実施形態によれば、第１の実施形態と同様の効果を奏するものであるとともに、少なくとも端末装置２０が、受け付けた抽出条件に従って、テーマに対応する投稿情報のうちから一部または全部を抽出することができる。
【０１３９】
（第５実施形態の変形例）
第５の実施形態の変形例について説明する。本変形例は、サーバ装置１０において画像を生成することを要する通信サービスと、端末装置２０において画像を生成することを要する通信サービスの双方の通信サービスが混在する場合を例示する。以下この相違点を中心に説明する。
【０１４０】
上記の場合、通信システム１は、画像生成部１９７と画像生成部２９７の双方を備えるものとし、画像生成部１９７と画像生成部２９７の何れの画像生成部で処理するかを、通信サービスにより指定される画像生成部を選択するとよい。
【０１４１】
上記の変形例によれば、上記の実施形態と同様の効果を奏するものであるとともに、サーバ装置１０において画像を生成することを要する通信サービスと、端末装置２０において画像を生成することを要する通信サービスの双方の通信サービスが混在させることを可能にする。
【０１４２】
（第６の実施形態）
第６の実施形態について説明する。第６の実施形態では、少なくとも端末装置２０が入出力部２１に表示する画像を生成する。第１の実施形態では、サーバ装置１０が端末装置２０に表示させる画像を生成する一例を示した。この相違点を中心に説明する。
【０１４３】
図２２は、ある通信サービスを利用して投稿情報を閲覧する場合のシーケンス図である。前述の図１３との相違点を中心に説明する。
【０１４４】
端末装置２０の情報受付部２９２は、サーバ装置１０に格納されている情報を表示させるための操作を受け付けて、その操作に対応する要求メッセージをサーバ装置１０宛に送信する（Ｓ１１１）。例えば、上記の要求メッセージには、対象とする通信サービスの識別情報（テーマ）と所望の情報を得るための抽出条件（条件Ｂ）が含まれる。
【０１４５】
サーバ装置１０の情報取得部１９４は、登録ユーザにより使用される端末装置２０が送信した投稿情報を取得する。
【０１４６】
投稿情報抽出部１９５は、記憶部１７に格納されている複数の投稿情報のうちから、通信サービスの識別情報に対応する投稿情報を抽出する（Ｓ１１２）。通信サービスの識別情報に対応する投稿情報として、テーマに対応するものが抽出される。
【０１４７】
範囲抽出部１９６は、端末装置２０が受け付けた抽出条件（条件Ｂ）に従って、テーマに対応する投稿情報のうちから一部または全部を抽出する（Ｓ１１４）。
【０１４８】
本実施形態のサーバ装置１０は、範囲抽出部１９６によって抽出された、テーマに対応する投稿情報のうちの一部または全部を、端末装置２０宛に送信する（Ｓ１１５）。
【０１４９】
端末装置２０は、端末通信処理部２９３を介して、サーバ装置１０から送信された上記の投稿情報を取得する。
【０１５０】
画像生成部２９７は、サーバ装置１０により抽出された投稿情報に基づいて、投稿情報の閲覧および／または投稿情報の入力が可能になる画像を生成する（Ｓ１１６）。表示制御部２９１は、画像生成部２９７によって生成された画像を入出力部２１に表示する（Ｓ１１８）。上記のように画像生成部２９７によって生成される画像として、例えば、前述の画像生成部１９７によって生成される画像と同様の画像を得ることができる。
【０１５１】
本実施形態によれば、少なくとも端末装置２０は、オブジェクトが配置され、オブジェクトが操作されることでオブジェクトに対応付けられた投稿情報の閲覧および／または投稿情報の入力が可能になる画像を生成する画像生成部２９７を持つことにより、端末装置２０は、サーバ装置１０等から取得した情報を記憶部２７に格納し、端末装置２０に表示する画像を変更するための操作を繰り返したとしても、その都度サーバ装置１０から情報を取得しなくても、端末装置２０に表示する画像を変更することが可能なる。特に、通信回線の帯域が狭い場合や、サーバ装置１０の処理の負荷が高くなる場合には、画像が切り換わるまでの応答時間を短縮することができる。
【０１５２】
なお、上記の場合、通信システム１が提供する他の通信サービスにおいても、サーバ装置１０において画像を生成することを必要としないものであれば、サーバ装置１０から画像生成部１９７を削除してもよい。
【０１５３】
なお、画像生成部２９７は、共通するテーマに基づいて、登録ユーザである自身の投稿情報と他の登録ユーザの投稿情報とを比較容易に表示する画像を生成してもよい。
【０１５４】
上記の実施形態によれば、第１の実施形態と同様の効果を奏するものであるとともに、少なくとも端末装置２０が入出力部２１に表示する画像を生成することを可能にする。
【０１５５】
（第６実施形態の変形例）
第６の実施形態の変形例について説明する。本変形例は、サーバ装置１０において画像を生成することを要する通信サービスと、端末装置２０において画像を生成することを要する通信サービスの双方の通信サービスが混在する場合を例示する。以下この相違点を中心に説明する。
【０１５６】
上記の場合、通信システム１は、画像生成部１９７と画像生成部２９７の双方を備えるものとし、画像生成部１９７と画像生成部２９７の何れの画像生成部で処理するかを、通信サービスにより指定される画像生成部を選択するとよい。
【０１５７】
上記の変形例によれば、上記の実施形態と同様の効果を奏するものであるとともに、サーバ装置１０において画像を生成することを要する通信サービスと、端末装置２０において画像を生成することを要する通信サービスの双方の通信サービスが混在させることを可能にする。
【０１５８】
（第７の実施形態）
以下、第７の実施形態について説明する。第７の実施形態は、記憶部１７に投稿情報を記憶させる形態のより具体的な一例について説明する。以下、この点を中心に説明する。
【０１５９】
（データ形式の一例）
サーバ装置１０は、記憶部１７に投稿情報を記憶させる際に、所定の規則に従ってその情報を規格化することにより検索を容易にすることが必要とされる。
投稿情報は、利用者が端末装置２０から打ち込んだ文章を変換したテキストデータと、検出装置３０などが検出した非定型のデジタルデータが含まれる。通信システム１では、これらを組み合わせて検索対象にして扱えるようにする。
【０１６０】
図２３は、ある通信サービスにおける投稿情報のデータ形式の一例を示す図である。同図に示すデータ形式は、ＸＭＬを利用してデータを整理する場合の一例である。サーバ装置１０は、図示するようなＸＭＬ形式のデータを記憶部１７に格納する。
図に示されるデータは、通信サービスＳ１における特定の日（２０１６／０３／２０）に開催されたイベント（○○コンサート）に参加した複数のファン（メンバー）からの投稿情報を示す一例である。
この図に示すデータ形式では、登録ユーザであるファン（メンバー）が端末装置２０から打ち込んだ文章は「＜コメント＞」のタグに関連付けられており、検出装置３０などが検出した非定型のデジタルデータは、「＜検出データ＞」のタグに関連付けることができる。
【０１６１】
このようなデータ形式の一部又は全部を端末装置２０と共有することにより、端末装置２０は、図示するようなＸＭＬ形式のデータに加工して、サーバ装置１０宛に投稿情報を送信してもよい。この場合、サーバ装置１０は、端末装置２０から受信したデータに対する加工処理の負荷を低減することができる。
【０１６２】
通信システム１では、上記のようなデータ形式をとることにより、タグに関連付けられたテキストデータを検索のキーとして利用することができる。さらに、通信システム１は、「＜検出データ＞」のタグに関連付けられたデータの一部又は全部を切り出して、検索対象に加えてもよい。
【０１６３】
なお上記のデータ形式は、一例を示すものであり、上記のデータ形式に制限されるものではない。通信システム１は、少なくとも、テキストデータと、非定型のデジタルデータを関連付けることを可能とするものであれば、他のデータ形式（データ構造）を利用してもよく、そのデータ形式（データ構造）に応じたデータ処理を実施するものであればよい。
【０１６４】
上記の実施形態によれば、第１の実施形態と同様の効果を奏するものであるとともに、投稿情報をＸＭＬ形式のデータとして記憶部に格納することを可能にする。
【０１６５】
（第７の実施形態の変形例）
第７の実施形態の変形例について説明する。本変形例は、制御部１９の機能部として定義したフィルタ手段を、記憶部１７に各種データの形式に併せて最適化した場合を例示する。以下この相違点を中心に説明する。
【０１６６】
第７の実施形態として説明したように、記憶部１７に格納する各種データをＸＭＬ形式にしたことにより、制御部１９の機能部として定義したフィルタ手段についてもＸＭＬ形式で記述することで、検索処理の効率を高めることができる。ＸＭＬ形式で記述したフィルタ手段を、記憶部１７に上記の各種データとともに格納させておく。例えば、フィルタ手段ＳＦのタグ情報と、投稿情報ＵＤのタグ情報を共通化しておくことで、フィルタ手段ＳＦと投稿情報ＵＤとの関連性を検出煤処理の効率を高めることができる。
【０１６７】
（第８の実施形態）
以下、第１の実施形態の第１変形例について説明する。本第１変形例は、本通信システム１にコミュニティの検索と追加を実施する処理を付加したものである。以下、この相違点を中心に説明する。
【０１６８】
図２４を参照して、コミュニティの検索と追加について説明する。図２４は、コミュニティの検索と追加について説明するための図である。
通信システム１を利用する権限を有する利用者であって、所望のコミュニティのメンバーとして登録されていない未登録ユーザは、既に設けられているコミュニティを検索し、好みのコミュニティが存在していれば、そのコミュニティのメンバー（登録ユーザ）になることができる。
【０１６９】
例えば、端末装置２０の情報受付部２９２は、検索対象のコミュニティに関する情報と、その情報に基づく検索を要求するための操作を受け付けて、その操作に対応する検索要求メッセージをサーバ装置１０宛に送信する（Ｓ１４１）。例えば、上記の要求メッセージには、対象とする検索対象のコミュニティに関するキーワード、通信サービスの識別情報（テーマ）、所望の情報を得るための抽出条件（条件Ｂ）などの情報が含まれる。
【０１７０】
サーバ装置１０では、情報取得部１９４が、サーバ通信処理部１９３を介して、検索要求メッセージを取得する。
【０１７１】
次に、投稿情報抽出部１９５は、記憶部１７に格納されている一又は複数のコミュニティのうちから、検索要求メッセージに対応するコミュニティを検索する（Ｓ１４２）。投稿情報抽出部１９５は、検索の結果を端末装置２０に通知する（Ｓ１４３）。
【０１７２】
次に、端末装置２０は、検索の結果を入出力部２１に表示する。
【０１７３】
以上の処理により、端末装置２０の入出力部２１には、検索の結果が表示される。未登録ユーザは、その検索の結果を確認し、好みのコミュニティが存在していた場合には、そのコミュニティのメンバー（登録ユーザ）としての登録処理を行う。未登録ユーザがメンバーとして登録された後、前述の図１３に示す処理により閲覧および／または投稿情報の入を実施する。
【０１７４】
一方、検索の結果、好みのコミュニティが存在していなければ、未登録ユーザは、自ら、所望のコミュニティを追加するとともに、そのコミュニティのメンバー（登録ユーザ）になることができる。
【０１７５】
例えば、端末装置２０の情報受付部２９２は、追加対象のコミュニティに関する情報と、その情報に基づいたコミュニティの追加を要求するための操作を受け付けて、その操作に対応するコミュニティの追加要求メッセージをサーバ装置１０宛に送信する（Ｓ１４５）。例えば、上記の追加要求メッセージには、対象とするコミュニティのテーマ、メンバー登録を許可する条件（条件Ｄ）、収集する投稿情報の条件（条件Ｅ）などの情報が含まれる。
【０１７６】
サーバ装置１０では、情報取得部１９４が、サーバ通信処理部１９３を介して、コミュニティの追加要求メッセージを取得する。
【０１７７】
次に、管理処理部１９８は、コミュニティの追加要求メッセージに対応するコミュニティを通信サービスの一つとして追加する。管理処理部１９８は、追加した通信サービスを識別する識別情報（コミュニティＩＤ）を発行して、コミュニティＩＤに関連づけてサービス利用管理情報ＤＢを更新する（Ｓ１４６）。投稿情報抽出部１９５は、追加の結果をコミュニティＩＤとともに端末装置２０に通知する（Ｓ１４７）。
【０１７８】
次に、端末装置２０は、コミュニティの追加の結果を入出力部２１に表示するとともに、利用者属性情報ＤＢ２７１に、コミュニティＩＤを書き込む（Ｓ１４８）。
【０１７９】
以上の処理により、サーバ装置１０には、新たなコミュニティの場を提供する通信サービスが追加される。
【０１８０】
（第９の実施形態）
第９の実施形態について説明する。第９の実施形態では、第１の実施形態の登録ユーザの活動のモチベーションを高めるための処理を、第１の実施形態に追加するものである。
この相違点を中心に説明する。
【０１８１】
（シナリオ１−２：ポイント管理とノベルティの付与）
このシナリオ１−２では、シナリオ１−１によって、情報の共有がなされ、投稿した検出データの有無、検出データの解析結果、投稿したコメントの個数、他のメンバーから寄せられたコメントの個数などの集計の結果に基づいて、情報の投稿者であるファンに、所定の算出式に基づいて算出されたポイントが付与される。
【０１８２】
図２５は、アイドル応援サイトにおけるポイント管理とノベルティの付与に関する画面の表示例を示す図である。
【０１８３】
例えば、図２５（ａ）に示すように、各ファンにそれぞれ付与されたポイントの総計値（全体ポイント）が、所定の値の目標ポイントに達した場合に、アイドルには特定のイベントの開催が与えられるものとする。
サーバ装置１０は、ファンが投稿したコメントの個数、他のメンバーから寄せられたコメントの個数などを、ファンごとに集計する。サーバ装置１０は、ファンごとに集計した結果の集計値に応じたポイントを、夫々のファンに対し付与する。
例えば、サーバ装置１０は、個々のファンに付与されたポイントを、イベントに参加する毎に累積して管理する。このように累計することにより、回数が多いほど累計値が高まるため、イベントに参加するというモチベーションを高めることに貢献する。
また、サーバ装置１０は、個々のファンに付与されたポイントに基づいて集計して、全てのファンのポイントの合計値を算出する。通信システム１は、この合計値を、アイドルに対して設定された目標値と対比して同じ画面に表示することで、アイドルが抱く夢を実現させるという各ファンの目標を共有することを容易にする。
【０１８４】
図２５（ｂ）に、イベントの主催者が用意したノベルティを選択するための操作画面を示す。通信システム１は、このような画面を投稿情報の一つとして記憶部１７に格納させている。通信システム１は、この画面に表示された情報をファン同士が共有することにより、ファイにノベルティをプレゼントするための操作を選択させることにより、累積されたポイントを、イベントの主催者が用意したノベルティの何れかに交換するように構成してもよい。
【０１８５】
また、上記のプレゼントとして用意するものは、物に限らず、ファンにとって価値があるデータをその候補にしてもよい。例えば、アイドルの写真（サムネイル画像）のデータなどは、ファンにとって価値のあるデータの一例である。
【０１８６】
なお、通信システム１は、ポイントの累計値が所定の値に達すると、プレゼントとしてダウンロード可能な写真が用意されたことを、ファンが利用する端末装置２０宛に通知してもよい。ファンは、この画面に表示された画像を選択操作することにより、イベントの主催者が用意した画像の何れかをダウンロードすることができる。
【０１８７】
以上の実施形態の通信システム１によれば、第１の実施形態の効果を奏するものであり、更に、登録ユーザに共通するテーマを、登録ユーザに共有させることにより、当該テーマに対する登録ユーザのモチベーションを高めることを支援するものである。
【０１８８】
以上説明した少なくともひとつの実施形態によれば、通信システム１は、登録ユーザ間のコミュニケーションを支援するサーバ装置１０を含む。サーバ装置１０は、登録ユーザにより使用される端末装置２０が送信した投稿情報を取得する情報取得部１９４と、情報取得部１９４により複数の登録ユーザから取得された複数の投稿情報のうちから、テーマに対応する投稿情報を抽出する投稿情報抽出部１９５と、投稿情報抽出部１９５により抽出された投稿情報を端末装置２０に送信するサーバ通信処理部１９３と、を持つ。端末装置２０は、画像を表示する入出力部２１と、一または複数のオブジェクトが配置され、オブジェクトが操作されることで、オブジェクトに対応付けられた投稿情報の閲覧および／または投稿情報の入力が可能になる画像を入出力部２１に表示させる表示制御部２９１と、前記登録ユーザが前記オブジェクトの操作に伴って投稿する投稿情報を受け付けて、自端末装置の登録ユーザの投稿情報と前記操作されたオブジェクトとを対応付ける属性情報を生成する情報受付部２９２と、情報受付部２９２により受け付けられた投稿情報と属性情報とを含む送信情報をサーバ装置１０宛に送信する端末通信処理部２９３とを持つことにより、利用者同士に共通するテーマに関する情報の共有を、より深いレベルで実現することができる。
【０１８９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１９０】
例えば、本実施形態に示す、通信サービス（コミュニティ）の数、登録ユーザの人数、登録ユーザが利用する端末装置２０（装置）の数などは一例を示すものであり、これに限定されるものではない。
【符号の説明】
【０１９１】
１…通信システム、１０…サーバ装置、１１…入出力部、１７…記憶部、１９…制御部、１９１…表示制御部、１９２…情報受付部、１９３…サーバ通信処理部、１９４…情報取得部、１９５…投稿情報抽出部、１９６…範囲抽出部、１９７…画像生成部、１９８…管理処理部、１９９…統合処理部、２０…端末装置、２１…入出力部、２３…検出部、２５…通信部、２７…記憶部、２９…制御部、２９１…表示制御部、２９２…情報受付部、２９３…端末通信処理部、２９６…範囲抽出部、２９７…画像生成部、２９８…個別処理部、３０…検出装置。
【図１】
0006453800.tif 000002
【図２】
0006453800.tif 000003
【図３】
0006453800.tif 000004
【図４】
0006453800.tif 000005
【図５】
0006453800.tif 000006
【図６】
0006453800.tif 000007
【図７】
0006453800.tif 000008
【図８】
0006453800.tif 000009
【図９】
0006453800.tif 000010
【図１０】
0006453800.tif 000011
【図１１】
0006453800.tif 000012
【図１２】
0006453800.tif 000013
【図１３】
0006453800.tif 000014
【図１４】
0006453800.tif 000015
【図１５】
0006453800.tif 000016
【図１６】
0006453800.tif 000017
【図１７】
0006453800.tif 000018
【図１８】
0006453800.tif 000019
【図１９】
0006453800.tif 000020
【図２０】
0006453800.tif 000021
【図２１】
0006453800.tif 000022
【図２２】
0006453800.tif 000023
【図２３】
0006453800.tif 000024
【図２４】
0006453800.tif 000025
【図２５】
0006453800.tif 000026